(57)【要約】【課題】ユーザの嗜好パターンに合致した番組を、容易かつ迅速に検索する。【解決手段】ユーザが指定した番組から他の番組を観たいと考えた場合、ある操作を行うだけで、ユーザの嗜好パターンに合致した放送中の裏番組、ユーザの嗜好パターンに合致した過去に録画された番組、又はユーザの嗜好パターンに合致した動画サイトに投稿された動画像が、現在指定した番組が表示されている画面と同じ画面の異なる領域に一覧表示される。【選択図】図５
2015136020.tif 000002
【特許請求の範囲】
【請求項１】
ユーザが指定したコンテンツの一場面と、前記ユーザが指定していない他のコンテンツの一場面とを表示する情報処理装置であって、
放送又はネットワークを介して供給されるコンテンツに対するアクセス履歴に基づいて、前記ユーザの嗜好パターンを抽出する抽出手段と、
前記ユーザが指定していない他のコンテンツの中から、前記嗜好パターンに合致するコンテンツを選択する選択手段と、
前記選択されたコンテンツの一場面と、前記ユーザが指定したコンテンツの一場面とを同時に一覧表示させるための操作手段と、
前記操作手段による操作が行われると、前記選択されたコンテンツの一場面と、前記ユーザが指定したコンテンツの一場面とを、同一面の異なる領域にそれぞれ同時に一覧表示する表示手段と、
を含むことを特徴とする情報処理装置。
【請求項２】
前記他のコンテンツは、放送中のコンテンツと、録画済のコンテンツと、の何れかを少なくとも含むものであることを特徴とする請求項１に記載の情報処理装置。
【請求項３】
前記表示手段は、前記選択されたコンテンツの一場面を、前記嗜好パターンに合致する降順に一覧表示することを特徴とする請求項１又は２に記載の情報処理装置。
【請求項４】
前記表示手段は、前記選択されたコンテンツの一場面を、前記放送中のコンテンツと前記録画済のコンテンツとの表示領域を区分して一覧表示することを特徴とする請求項２又は３に記載の情報処理装置。
【請求項５】
ユーザが指定したコンテンツの一場面と、前記ユーザが指定していない他のコンテンツの一場面とを表示する情報処理装置の制御方法であって、
放送又はネットワークを介して供給されるコンテンツに対するアクセス履歴に基づいて、前記ユーザの嗜好パターンを抽出する工程と、
前記ユーザが指定していない他のコンテンツの中から、前記嗜好パターンに合致するコンテンツを選択する工程と、
前記選択する工程により選択されたコンテンツの一場面と、前記ユーザが指定したコンテンツの一場面とを同時に一覧表示させる工程と、
前記表示させる工程が行われると、前記選択する工程により選択されたコンテンツの一場面と、前記ユーザが指定したコンテンツの一場面とを、同一面の異なる領域にそれぞれ同時に一覧表示する工程と、
を含むことを特徴とする制御方法。
【請求項６】
ユーザが指定したコンテンツの一場面と、前記ユーザが指定していない他のコンテンツの一場面とを表示する情報処理装置のコンピュータに、
放送又はネットワークを介して供給されるコンテンツに対するアクセス履歴に基づいて、前記ユーザの嗜好パターンを抽出する処理と、
前記ユーザが指定していない他のコンテンツの中から、前記嗜好パターンに合致するコンテンツを選択する処理と、
前記選択する処理により選択されたコンテンツの一場面と、前記ユーザが指定したコンテンツの一場面とを同時に一覧表示させる処理と、
前記表示させる処理が行われると、前記選択する処理により選択されたコンテンツの一場面と、前記ユーザが指定したコンテンツの一場面とを、同一面の異なる領域にそれぞれ同時に一覧表示する処理と、
を実現させるためのプログラム。
【発明の詳細な説明】
【技術分野】
【０００１】
本発明は、情報処理装置、制御方法、及びプログラムに関する。
【背景技術】
【０００２】
近年、地上デジタル放送サービスや、ＢＳ（Broadcasting Satellite）、ＣＳ（Communications Satellite）デジタル放送サービスの開始に伴い、テレビの多チャンネル化が目覚ましい。ユーザは、このような放送サービスによって放送される番組、放送された番組を録画した番組、又はインターネット上のサーバに不特定多数のユーザが投稿し、共有し、視聴できる動画サイト等（以下、これらを纏めて「コンテンツ」ともいう。）といった多数の選択肢の中から、自分の興味関心が高いカテゴリに属するコンテンツの視聴を行うことが可能である。そして、これらのコンテンツの視聴に対応することが可能な、テレビジョン受信機、録画再生機、及びパーソナルコンピュータに代表される情報処理装置も普及している。
【０００３】
このような状況の下、ユーザは、自分が興味関心を抱き、自分の嗜好に合致するコンテンツのみを選別し、視聴することが非常に困難であるという問題がある。また、受信されたコンテンツデータを一旦蓄積した後、視聴する仕組みを設けたとしても、大量のコンテンツデータが蓄積されている場合には、どのコンテンツが自分の嗜好に合致するものであるかを即時に判断することも困難である。
【０００４】
ユーザにとって興味関心が高い複数のテレビ番組が同じ時間帯に複数の放送局から放送される場合、あるテレビ番組についてはそのまま視聴すると共に、裏番組については後日視聴するために録画しておくのであるが、そのためには、テレビジョン受信機、録画再生機、及びパーソナルコンピュータに代表される情報処理装置が、上記放送サービスを同一時間帯に受信可能な複数のチューナを搭載している必要がある。
【０００５】
また、あるチャンネルのテレビ番組を視聴しているとき、そのテレビ番組が面白くなく、他の放送局で、同じ時間帯に何か面白そうな番組が放送されているか否かを調べるために、チャンネルをザッピングしたり、放送局から電波の隙間を使って送信される電子番組ガイド（ＥＰＧ：Electronic Program Guide）を閲覧したりすることがある。そして、たまたまチャンネルを合わせた番組が面白く、最初からこの番組を観ておけば良かった、あるいは録画しておけば良かったと後悔することもある。
【０００６】
そして、複数のチューナを搭載したテレビジョン受信機であって、ユーザが視聴しているテレビ番組を主画面、それ以外のテレビ番組を、それぞれ複数の副画面に表示し、ユーザは、主画面に表示されるテレビ番組を視聴しながら、副画面に表示されたテレビ番組の中から視聴を希望するテレビ番組を選局することが可能な技術も知られている。
【０００７】
特許文献１には、視聴者が、例えば１０秒当たりに入力する選局操作の回数が、例えば２回を超えていると、ザッピング操作であると判断し、ザッピング操作によって選択された番組の視聴時間が５秒以下である場合、選択された番組のメタ情報を興味なしのキーワードとして蓄積し、３０秒以内に全番組の選局操作が行われた場合、視聴者の嗜好情報に関連する推薦番組が表示される映像受信装置が開示されている。
【先行技術文献】
【特許文献】
【０００８】
【特許文献１】特開２０１１−２１１５８６号公報
【発明の概要】
【発明が解決しようとする課題】
【０００９】
特許文献１に開示された技術では、視聴者がザッピング操作を行うことにより、ユーザの嗜好パターンを抽出しているため、視聴者が、実際にザッピング操作を行わない限り、ユーザの嗜好情報が蓄積されず、視聴者の嗜好情報が蓄積され、視聴者の嗜好パターンを反映した推薦番組が表示されるまで、時間がかかるという問題がある。
【００１０】
また、視聴者の嗜好パターンが変化した場合、ザッピング操作によって得られる当該視聴者の嗜好情報も付随的に変化すると考えられえるが、この場合にも、やはり、ザッピング操作を行わない限り、視聴者の嗜好情報が反映された推薦番組の表示がなされず、視聴者の嗜好パターンの変化に迅速に対応することができないという問題もある。
【００１１】
そこで本発明は、上記従来の問題点に鑑みてなされたもので、視聴者の嗜好パターンを予め取得しておき、ユーザが現在視聴中の番組から他の番組を観たいと考えた場合、ある操作を行うだけで、ユーザの嗜好に合致した放送中の裏番組、ユーザの嗜好パターンに合致した過去に録画された番組、又はユーザの嗜好に合致した動画サイトに投稿された動画像が、現在視聴中の番組が表示されている画面と同じ画面の異なる領域に一覧表示されることにより、ユーザの嗜好パターンに合致した番組を、容易かつ迅速に検索することが可能な情報処理装置、制御方法、及びプログラムを提供することを目的とする。
【課題を解決するための手段】
【００１２】
上記課題を解決するため、請求項１に記載の本発明における情報処理装置は、ユーザが指定したコンテンツの一場面と、前記ユーザが指定していない他のコンテンツの一場面とを表示する情報処理装置であって、放送又はネットワークを介して供給されるコンテンツに対するアクセス履歴に基づいて、前記ユーザの嗜好パターンを抽出する抽出手段と、前記ユーザが指定していない他のコンテンツの中から、前記嗜好パターンに合致するコンテンツを選択する選択手段と、前記選択されたコンテンツの一場面と、前記ユーザが指定したコンテンツの一場面とを同時に一覧表示させるための操作手段と、前記操作手段による操作が行われると、前記選択されたコンテンツの一場面と、前記ユーザが指定したコンテンツの一場面とを、同一面の異なる領域にそれぞれ同時に一覧表示する表示手段と、を含むことを特徴とする。
【００１３】
また、請求項２に記載の情報処理装置は、請求項１に記載の情報処理装置において、前記他のコンテンツは、放送中のコンテンツと、録画済のコンテンツと、の何れかを少なくとも含むものであることを特徴とする。
【００１４】
さらに、請求項３に記載の情報処理装置は、請求項１又は２に記載の情報処理装置において、前記表示手段は、前記選択されたコンテンツの一場面を、前記嗜好パターンに合致する降順に一覧表示することを特徴とする。
【００１５】
また、請求項４に記載の情報処理装置は、請求項２又は３に記載の情報処理装置において、前記表示手段は、前記選択されたコンテンツの一場面を、前記放送中のコンテンツと前記録画済のコンテンツとの表示領域を区分して一覧表示することを特徴とする。
【００１６】
そして、上記課題を解決するため、請求項５に記載の本発明における制御方法は、ユーザが指定したコンテンツの一場面と、前記ユーザが指定していない他のコンテンツの一場面とを表示する情報処理装置の制御方法であって、放送又はネットワークを介して供給されるコンテンツに対するアクセス履歴に基づいて、前記ユーザの嗜好パターンを抽出する工程と、前記ユーザが指定していない他のコンテンツの中から、前記嗜好パターンに合致するコンテンツを選択する工程と、前記選択する工程により選択されたコンテンツの一場面と、前記ユーザが指定したコンテンツの一場面とを同時に一覧表示させる工程と、前記表示させる工程が行われると、前記選択する工程により選択されたコンテンツの一場面と、前記ユーザが指定したコンテンツの一場面とを、同一面の異なる領域にそれぞれ同時に一覧表示する工程と、を含むことを特徴とする。
【００１７】
また、上記課題を解決するため、請求項６に記載の本発明におけるプログラムは、ユーザが指定したコンテンツの一場面と、前記ユーザが指定していない他のコンテンツの一場面とを表示する情報処理装置のコンピュータに、放送又はネットワークを介して供給されるコンテンツに対するアクセス履歴に基づいて、前記ユーザの嗜好パターンを抽出する処理と、前記ユーザが指定していない他のコンテンツの中から、前記嗜好パターンに合致するコンテンツを選択する処理と、前記選択する処理により選択されたコンテンツの一場面と、前記ユーザが指定したコンテンツの一場面とを同時に一覧表示させる処理と、前記表示させる処理が行われると、前記選択する処理により選択されたコンテンツの一場面と、前記ユーザが指定したコンテンツの一場面とを、同一面の異なる領域にそれぞれ同時に一覧表示する処理と、を実現させることを特徴とする。
【発明の効果】
【００１８】
本発明によれば、ユーザの嗜好パターンに合致した番組を、容易かつ迅速に検索することが可能な情報処理装置、制御方法、及びプログラムが得られる。
【図面の簡単な説明】
【００１９】
【図１】本発明の実施形態における情報処理装置を含む情報処理システム全体の構成を示す図である。
【図２】本発明の実施形態における情報処理装置の全体構成について説明する概略ブロック図である。
【図３】本発明の実施形態におけるＷｅｂサーバの全体構成について説明する概略ブロック図である。
【図４】本発明の実施形態における情報処理装置の機能ブロック図である。
【図５】本発明の実施形態における情報処理装置の画面表示について説明する図である。
【図６】本発明の実施形態における情報処理装置を操作するリモコンの画面表示について説明する図である。
【図７】本発明の実施形態における情報処理装置の嗜好パターンの抽出方法について説明する図である。
【図８】本発明の実施形態における情報処理装置の動作について説明するフローチャートである。
【発明を実施するための形態】
【００２０】
次に、本発明を実施するための形態について図面を参照して詳細に説明する。なお、各図中、同一又は相当する部分には同一の符号を付しており、その重複説明は適宜に簡略化乃至省略する。本発明の内容を簡潔に説明すると、ユーザが指定したコンテンツの一場面と、ユーザが指定していない他のコンテンツの一場面とを表示する情報処理装置であって、放送又はネットワークを介して供給されるコンテンツに対するアクセス履歴に基づいて、ユーザの嗜好パターンを抽出する抽出手段と、ユーザが指定していない他のコンテンツの中から、嗜好パターンに合致するコンテンツを選択する選択手段と、選択されたコンテンツの一場面と、ユーザが指定したコンテンツの一場面とを同時に一覧表示させるための操作手段と、操作手段による操作が行われると、選択されたコンテンツの一場面と、ユーザが指定したコンテンツの一場面とを、同一面の異なる領域にそれぞれ同時に一覧表示する表示手段と、を含むことにより、ユーザの嗜好パターンに合致した番組を、容易かつ迅速に検索することができるのである。
【００２１】
まず、図１を用いて本発明の実施形態における情報処理装置を含む情報処理システム全体の構成について説明する。図１は、本発明の実施形態における情報処理装置を含む情報処理システム全体の構成を示す図である。
【００２２】
図１を参照すると、本発明の実施形態における情報処理装置を含む情報処理システム１０は、例えば、パーソナルコンピュータ（以下、ＰＣともいう。）を代表とする情報処理装置２００が、インターネット等の広く公衆によって接続可能なネットワーク３００を介してＷｅｂサーバ４００に接続されている。また、ＰＣ２００は、放送局１００から送信される放送波を受信することができるようになっている。なお、ＰＣ２００には、ＰＣ以外に他の携帯情報端末も含まれることは勿論である。
【００２３】
また、Ｗｅｂサーバ４００は、ＰＣ２００と、インターネット等のネットワーク３００を介して接続されている。そして、ＰＣ２００を例とする情報処理装置から発せられた任意のＷｅｂページに接続したい旨のアクセス要求に対して、ＵＲＬ（Uniform Resource Locator）で特定されたＷｅｂサーバ４００から提供されるＷｅｂページの閲覧が可能となる。なお、図１中には、インターネット等のネットワーク３００に対してＰＣ２００のみ接続されているが、情報処理装置は１台に限定されず、複数台接続されていることはいうまでも無い。
【００２４】
次に、本発明の実施形態における情報処理装置の全体構成について説明する。図２は、本発明の実施形態における情報処理装置の全体構成について説明する概略ブロック図である。ＰＣ２００は、ＴＶチューナ部２０１と、ネットワーク接続部２０５と、ＣＰＵ（Central Processing Unit）２０６と、ＲＯＭ（Read Only Memory）２０２と、ＲＡＭ（Random Access Memory）２０３と、ＨＤＤ（Hard Disk Drive）２０４と、表示部２０７と、入力部２０８と、電源部２０９とから構成される。
【００２５】
ＴＶチューナ部２０１は、放送局１００から送信される地上デジタル、ＢＳ（Broadcasting Satellite）、及びＣＳ（Communications Satellite）放送をアンテナから受信し復調するものである。ネットワーク接続部２０５は、インターネットに代表されるネットワーク３００に接続され、ネットワーク３００とのインタフェースを図るものである。ＣＰＵ２０６は、ＰＣ２００全体の動作を制御するものであり、ＲＯＭ２０２に格納された制御プログラムをロードし、ＰＣ２００の動作によって得られた様々なデータをＲＡＭ２０３に展開するものである。ＨＤＤ２０４は、ＰＣ２００のアプリケーションソフトウェアプログラムを格納したり、ＴＶチューナ部２０１によって受信されたテレビ番組（以下、コンテンツともいう。）を録画したりするものである。
【００２６】
表示部２０７は、ＬＣＤ（Liquid Crystal Display）等で構成される表示画面であり、ＰＣ２００によって実行されたアプリケーションソフトウェアプログラムの結果やＴＶチューナ部２０１によって受信されたテレビ番組を表示するものである。入力部２０８は、キーボード、マウス、タッチパネル等、ユーザがＰＣ２００に対して指示を与えるものである。そして、電源部２０９は、ＰＣ２００に対してＡＣ（Alternative Current：交流）、又はＤＣ（Direct Current：直流）電源を与えるものである。
【００２７】
次に、本発明の実施形態におけるＷｅｂサーバの全体構成について説明する。図３は、本発明の実施形態におけるＷｅｂサーバの全体構成について説明する概略ブロック図である。Ｗｅｂサーバ４００は、ネットワーク接続部４０３と、ＣＰＵ４０４と、ＲＯＭ４０１と、データベース部４０２と、表示部４０５と、操作部４０６と、電源部４０７とから構成される。
【００２８】
ネットワーク接続部４０３は、インターネットに代表されるネットワーク３００（図１）に接続され、ネットワーク３００とのインタフェースを図るものである。ＣＰＵ４０４は、Ｗｅｂサーバ４００全体の動作を制御するものであり、ＲＯＭ４０１に格納された制御プログラムをロードし、ＣＰＵ４０４の動作によって得られた様々なデータをデータベース部４０２に展開するものである。表示部４０５は、ＬＣＤ等で構成される表示画面であり、Ｗｅｂサーバ４００によってデータベース部４０２に格納されたデータの格納状況等を表示するものである。操作部４０６は、キーボード、マウス、タッチパネル等、Ｗｅｂサーバ４００の保守者が、Ｗｅｂサーバ４００に対して指示を与えるものである。そして、電源部４０７は、Ｗｅｂサーバ４００に対してＡＣ又はＤＣ電源を与えるものである。
【００２９】
次に、本発明の実施形態における情報処理装置の機能ブロックについて説明する。図４は、本発明の実施形態における情報処理装置の機能ブロック図である。
【００３０】
図４において、ＰＣ２００は、放送局１００（図１）から送信される放送波を受信する複数のチューナ部２１０、２１１、２１２、及び２１３と、チューナ部２１０、２１１、２１２、及び２１３により復調されたテレビ番組（コンテンツ）を記録し再生するコンテンツ記録再生部２１４と、放送局１００から送信される電波の隙間を使って送信される電子番組ガイド（ＥＰＧ：Electronic Program Guide）を管理するＥＰＧ情報管理部２１７と、液晶（ＬＣＤ）等のディスプレイ２２１にテレビ番組を表示する動画表示処理部２１５と、を含んで構成されている。
【００３１】
なお、ディスプレイ２２１には、ライブ放送されているテレビ番組の画面、録画されたテレビ番組の再生画面、録画されたテレビ番組の一覧表が表示されることは勿論であるが、後述するＥＰＧ情報管理部２１７により取得された、過去に放送された番組、現在放送されている番組、又は今後放送される予定の番組の番組表も表示される。また、後述するネットワーク接続処理部２２０によって取得されたＷｅｂサーバ４００に格納されたＷｅｂ上のコンテンツも表示される。
【００３２】
さらに、ＰＣ２００は、インターネット等の公衆に利用可能なネットワーク３００（図１）を介してＷｅｂサーバ４００に接続するためのネットワーク接続処理部２２０と、ＥＰＧ情報管理部２１７から送信される電子番組表、及び興味情報取得部２１８を介して受信されたユーザの嗜好パターンに基づいて、ユーザの嗜好レベルが高い映像を解析する映像解析処理部２１６と、映像解析処理部２１６で処理されたユーザの興味度が高いコンテンツをディスプレイ２２１に表示する動画表示処理部２１５と、を含んで構成されている。
【００３３】
また、ＰＣ２００は、インターネット等の公衆に利用可能なネットワーク３００（図１）を介してＷｅｂサーバ４００に接続するためのネットワーク接続処理部２２０と、ＥＰＧ情報管理部１１７から送信される電子番組表、及びネットワーク接続処理部２２０を介して受信される、インターネット上のサーバに不特定多数のユーザが投稿し、共有し、視聴できる動画サイト等を取得して記録する動画情報取得記録部２１９を含んで構成されている。
【００３４】
ＰＣ２００のディスプレイ２２１に対するユーザの視線を検出することによるコンテンツへの集中度、及びチャンネルのザッピング等から、ユーザの興味の有無が検出され、ユーザの嗜好に基づいて、ユーザの興味を引くであろうと推測されるコンテンツは、普段から映像解析処理部２１６において準備されている。そして、ユーザは、動画表示処理部２１５によってディスプレイ２２１に表示されるコンテンツの中から視聴したいコンテンツを選択することができる。なお、ユーザの興味を引くであろうと推測されるコンテンツは、現在ライブ放送されているコンテンツのみならず、既に動画情報取得記録部２１９に記録されている録画済のコンテンツも含まれることは勿論である。
【００３５】
次に、本発明の実施形態における情報処理装置の画面表示について説明する。図５は、本発明の実施形態における情報処理装置の画面表示について説明する図である。
【００３６】
図５に示すように、ディスプレイ２２１には、ユーザが現在指定（視聴）しているコンテンツの一場面が主画面欄２２１０に表示される。そして、後述する放送、又はネットワークを介して供給されるコンテンツに対するユーザのアクセス履歴に基づいて、ユーザの嗜好パターンに合致する複数のコンテンツのそれぞれの一場面が、副画面欄１から副画面欄１３に表示される。
【００３７】
なお、主画面欄２２１０と副画面欄とのディスプレイ２２１上における表示位置は、図５では左上欄に主画面欄２２１０を、副画面欄を左から右に向かうよう、上から下に向かうようそれぞれ配置しているが、主画面欄２２１０、及び副画面欄の配置位置は、ディスプレイ２２１上の任意の位置に配置することが可能である。また、図５では、副画面欄の数を１３個としているが、副画面欄の数も任意の数にすることが可能である。
【００３８】
さらに、副画面１から副画面１３に、ユーザの嗜好パターンに合致する複数のコンテンツの一場面をそれぞれ表示する場合、ユーザの嗜好パターンに合致する程度の高いコンテンツから低いコンテンツの順に一覧表示させるようにしても良い。また、副画面１から副画面１３に、ユーザの嗜好パターンに合致する複数のコンテンツの一場面をそれぞれ表示する場合、現在ライブ放送されているコンテンツと、録画済のコンテンツとの表示領域を区分し、例えば、副画面１から副画面７には現在ライブ放送されているコンテンツを、副画面８から副画面１３には録画済のコンテンツをそれぞれ一覧表示させるようにしても良い。さらにこの場合、ライブ放送されているコンテンツと録画済のコンテンツとのそれぞれにおいて、ユーザの嗜好パターンに合致する程度の高いコンテンツから低いコンテンツの順に一覧表示させるようにしても良い。
【００３９】
次に、本発明の実施形態における情報処理装置を操作するリモコンの画面表示について説明する。図６は、本発明の実施形態における情報処理装置を操作するリモコンの画面表示について説明する図である。
【００４０】
図６において、リモコン２２２は、ＴＰＯ（Time Place Occasion）ボタン２２２１と、決定ボタン２２２２と、十字ボタン２２２３と、音量切替、チャンネル切替の各ボタンと、を含んで構成されている。ＴＰＯボタン２２２１は、ユーザのその時点における行動確率予測、すなわち、日時、曜日、時間帯におけるユーザの過去の振る舞いに基づいて予測される行動パターンに基づいて、最適であると推測される嗜好に合致したコンテンツ一覧ボタンに割り当てられる。したがって、このＴＰＯボタン２２２１を押下することにより、ディスプレイ２２１には、図５に示すようにユーザが現在指定（視聴）しているコンテンツが主画面欄２２１０に表示されると共に、コンテンツ一覧ボタン（ＴＰＯボタン２２２１）に割り当てられたユーザの嗜好に合致したコンテンツが、副画面欄１から副画面欄１３に表示される。
【００４１】
なお、図６では、ＰＣ２００を遠隔操作する専用のリモコン２２２として説明を行っているが、ＰＣ２００を遠隔操作するリモコンとして、スマートフォン等の携帯情報端末を使用することも可能である。スマートフォンをＰＣ２００のリモコンとして使用する場合、液晶（ＬＣＤ）画面に図６に示す各種ボタンを表示させ、液晶（ＬＣＤ）画面の表示パターンに合わせて、ボタンの割り当てを変えることも可能である。
【００４２】
次に、本発明の実施形態における情報処理装置の嗜好パターンの抽出方法について説明する。図７は、本発明の実施形態における情報処理装置の嗜好パターンの抽出方法について説明する図である。
【００４３】
図７において、興味情報取得部２１８は、情報取得部２１８１、取得情報記憶部２１８２、興味テーブル２１８３、情報選別部２１８４、全情報取得部２１８５、及び興味推定部２１８６とから構成される。情報取得部２１８１は、ネットワーク接続処理部２２０（図４）を介して指定されたＵＲＬからインターネットアクセス履歴を取得する。取得されたインターネットアクセス履歴は、取得情報記憶部２１８２に記憶される。
【００４４】
一方、コンテンツ情報の各カテゴリ毎の興味パラメータが算出され、興味テーブル２１８３に格納される。この興味テーブル２１８３は、ユーザの行動監視、特に視聴履歴監視による興味カテゴリの推定を行う興味推定部２１８６によって作成される。
【００４５】
そして、情報選別部２１８４は、取得情報記憶部２１８２、及び興味テーブル２１８３に合わせてカテゴリを選別し、おすすめ抽出のための全情報が全情報取得部２１８５によって取得される。
【００４６】
なお、おすすめ抽出のための全情報としては、Ｗｅｂサーバ４００に格納されたＷｅｂ上のコンテンツ情報、図示しないＳＮＳサーバに格納されたＳＮＳコンテンツ情報、ＴＶ番組コンテンツ情報等が含まれるが、ここに例示した情報に限定されることなく、ＰＣ２００によって取得される様々な情報が含まれることは勿論である。
【００４７】
次に、本発明の実施形態における情報処理装置の動作について説明する。図８は、本発明の実施形態における情報処理装置の動作について説明するフローチャートである。
【００４８】
まず、ステップ（以下、Ｓという。）８０１の処理において、ユーザがコンテンツに対してアクセスしたか否かが判断される。ユーザがコンテンツにアクセスしない（Ｓ８０１：ＮＯ）と判断されると、処理を終了する。ユーザがコンテンツにアクセスした（Ｓ８０１：ＹＥＳ）と判断されると、Ｓ８０２の処理へ移行する。
【００４９】
Ｓ８０２の処理では、ユーザによるコンテンツに対するアクセス履歴を蓄積する。このアクセス履歴の蓄積は、図４の動画情報取得記録部２１９に蓄積される。そして、動画情報取得記録部２１９に蓄積されたユーザによりコンテンツに対するアクセス履歴に基づいて、興味情報取得部２１８（図４）が、ユーザの嗜好パターンを抽出する（Ｓ８０３）。
【００５０】
Ｓ８０４の処理では、興味情報取得部２１８によってユーザの嗜好パターンが抽出されたか否かが判断される。嗜好パターンが抽出されない（Ｓ８０４：ＮＯ）と判断されると、Ｓ８０３の処理へ戻る。嗜好パターンが抽出された（Ｓ８０４：ＹＥＳ）と判断されると、Ｓ８０５の処理へ移行する。
【００５１】
Ｓ８０５の処理では、ユーザがあるコンテンツを指定（視聴）しているか否かが判断される。ユーザがあるコンテンツを指定（視聴）していない（Ｓ８０５：ＮＯ）と判断されると、処理を終了する。ユーザがあるコンテンツを指定（視聴）している（Ｓ８０５：ＹＥＳ）と判断されると、Ｓ８０６の処理へ移行する。
【００５２】
Ｓ８０６の処理では、映像解析処理部２１６（図４）が、ユーザが指定（視聴）していない他のコンテンツの中からユーザの嗜好パターンに合致するコンテンツを選択する。Ｓ８０７の処理では、ユーザの嗜好パターンに合致するコンテンツが選択されたか否かが判断される。ユーザの嗜好パターンに合致するコンテンツが選択されない（Ｓ８０７：ＮＯ）と判断されたときは、選択されるまで待機する。ユーザの嗜好パターンに合致するコンテンツが選択された（Ｓ８０７：ＹＥＳ）と判断されたときは、Ｓ８０８の処理へ移行する。
【００５３】
Ｓ８０８の処理では、ＴＰＯボタンが押下されたか否かが判断される。ＴＰＯボタンが押下されない（Ｓ８０８：ＮＯ）と判断されたときは、処理を終了する。ＴＰＯボタンが押下された（Ｓ８０８：ＹＥＳ）と判断されたときは、Ｓ８０９の処理へ移行する。Ｓ８０９の処理では、ユーザが現在指定（視聴）中のコンテンツと、ユーザの嗜好パターンに合致するコンテンツとして選択されたコンテンツとが、ディスプレイ２２１に一覧表示され、処理を終了する。
【００５４】
なお、図８に示した本発明の実施形態における情報処理装置（ＰＣ）２００を構成する各機能ブロックの各動作は、コンピュータ上のプログラムに実行させることもできる。すなわち、情報処理装置２００のＣＰＵ２０６が、ＲＯＭ２０２、ＲＡＭ２０３等から構成される記憶部に格納されたプログラムをロードし、プログラムの各処理ステップが順次実行されることによって行われる。
【００５５】
以上説明してきたように、本発明によれば、ユーザが指定したコンテンツの一場面と、ユーザが指定していない他のコンテンツの一場面とを表示する情報処理装置であって、放送又はネットワークを介して供給されるコンテンツに対するアクセス履歴に基づいて、ユーザの嗜好パターンを抽出する抽出手段と、ユーザが指定していない他のコンテンツの中から、嗜好パターンに合致するコンテンツを選択する選択手段と、選択されたコンテンツの一場面と、ユーザが指定したコンテンツの一場面とを同時に一覧表示させるための操作手段と、操作手段による操作が行われると、選択されたコンテンツの一場面と、ユーザが指定したコンテンツの一場面とを、同一面の異なる領域にそれぞれ同時に一覧表示する表示手段と、を含むことにより、ユーザが、現在視聴中の番組から他の番組を観たいと考えた場合、ある操作を行うだけで、ユーザの嗜好パターンに合致した放送中の裏番組、ユーザの嗜好パターンに合致した過去に録画された番組、又はユーザの嗜好パターンに合致した動画サイトに投稿された動画像が、現在視聴中の番組が表示されている画面と同じ画面の異なる領域に一覧表示されることにより、ユーザの嗜好パターンに合致した番組を、容易かつ迅速に検索することができるのである。
【００５６】
以上、本発明の好適な実施の形態により本発明を説明した。ここでは特定の具体例を示して本発明を説明したが、特許請求の範囲に定義された本発明の広範囲な趣旨及び範囲から逸脱することなく、これら具体例に様々な修正及び変更が可能である。
【符号の説明】
【００５７】
１０    情報処理システム
１００    放送局
２００    情報処理装置（ＰＣ）
２０１    ＴＶチューナ部
２０２、４０１    ＲＯＭ
２０３    ＲＡＭ
２０４    ＨＤＤ
２０５、４０３    ネットワーク接続部
２０６、４０４    ＣＰＵ
２０７、４０５    表示部
２０８    入力部
２０９、４０７    電源部
２１０、２１１、２１２、２１３    チューナ部
２１４    コンテンツ記録再生部
２１５    動画表示処理部
２１６    映像解析処理部
２１７    ＥＰＧ情報管理部
２１８    興味情報取得部
２１９    動画情報取得記録部
２２０    ネットワーク接続処理部
２２１    ディスプレイ
２２２    リモコン
３００    ネットワーク
４００    Ｗｅｂサーバ
４０２    データベース部
４０６    操作部
２２１０    主画面欄
２２１１    ＴＰＯボタン
２２２０    主画面
２２２２    決定ボタン
２２２３    十字ボタン
２１８１    情報取得部
２１８２    取得情報記憶部
２１８３    興味テーブル
２１８４    情報選別部
２１８５    全情報取得部
２１８６    興味推定部
【図１】
2015136020.tif 000003
【図２】
2015136020.tif 000004
【図３】
2015136020.tif 000005
【図４】
2015136020.tif 000006
【図５】
2015136020.tif 000007
【図６】
2015136020.tif 000008
【図７】
2015136020.tif 000009
【図８】
2015136020.tif 000010